(57)【特許請求の範囲】
【請求項１】
前身頃及び後身頃をなす外装シートと、この外装シートの内面に固定された、吸収体を含む内装体とを備え、前記外装シートの前身頃と後身頃とが両側部において接合されることにより側部接合部が形成されるとともに、ウエスト開口部及び左右一対のレッグ開口部が形成され、
前記外装シートにおけるウエスト開口部の縁部に、胴周り方向に沿って細長状のウエスト部弾性部材が設けられ、
股間部を含む範囲に吸収体が設けられた、パンツタイプ使い捨ておむつにおいて、
前記外装シートにおけるウエスト開口部の縁部の一部を他の部分から分離するための破断線が設けられており、
この破断線を切り離すことにより前記一部を分離したとき、その分離部分が前記他の部分に対して前記ウエスト部弾性部材で繋がった状態で分離されるように構成され、
前記他の部分に、前記分離部分を挿通して係止するための係止孔が形成されており、
前記分離部分を引っ張り、ウエスト部弾性部材を伸長させつつおむつの外周に巻き付けた後、その先端部の分離部分を、係止孔に通して反対側に位置させるようにして固定したとき、前記分離部分が前記係止孔に対する引っ掛かりとなるように構成された、
ことを特徴とするパンツタイプ使い捨ておむつ。
【請求項２】
前記ウエスト部弾性部材が縦方向に間隔を空けて複数本設けられており、前記係止孔がこれらウエスト部弾性部材間に設けられている、請求項１記載のパンツタイプ使い捨ておむつ。
【請求項３】
前記分離部分が前記側部接合部を含むように、前記破断線が形成されている、請求項１又は２記載のパンツタイプ使い捨ておむつ。
【請求項４】
前記破断線を切り離したとき、前記分離部分がその胴周り方向両側の部分に対してそれぞれウエスト部弾性部材を介して繋がった状態となるように、前記破断線が形成されている、請求項１〜３のいずれか１項に記載のパンツタイプ使い捨ておむつ。
【請求項５】
前記破断線を切り離した状態で前記分離部分を繋ぐウエスト部弾性部材は、分離部分側と反対側の部分のうちの分離部分側の部分が前記外装シートに対して非固定とされているか、または引っ張ると固定が外れて非固定となるように固定されている、請求項１〜４のいずれか１項に記載のパンツタイプ使い捨ておむつ。
【発明の詳細な説明】
【技術分野】
【０００１】
本発明は、内装体の側部又はその近傍の厚み増加、硬質化、横皺の発生及び横皺を通じての横漏れを抑制した、フィット性に優れるパンツタイプ使い捨ておむつに関する。
【背景技術】
【０００２】
パンツタイプ使い捨ておむつは、前身頃及び後身頃を有する外装シートと、この外装シートの内面に固定された、吸収体を含む内装体とを備え、前記外装シートの前身頃と後身頃とが両側部において接合されてサイドシール部が形成されることにより、ウエスト開口部及び左右一対のレッグ開口部が形成されているものである。
【０００３】
また、パンツタイプ使い捨ておむつにおいては、身体へのフィット性を向上させるために、外装シートにおけるウエスト開口部の縁部やその股間側の胴周りに弾性伸縮部材を備えているものが一般的となっている。
【０００４】
他方、パンツタイプ使い捨ておむつは、使用後に排泄物の付着面が内側となるように丸め若しくは折り畳み（以下、この形状を略紡錘状ともいう）、後身頃の外面に設けられた粘着テープを用いて固定することも広く行われている。そして、このような廃棄時固定手段として、おむつの一部を利用し、粘着テープを省略可能とする手段が種々提案されている（特許文献１〜３参照）。
【０００５】
このうち、特許文献１の図２２に記載のようにウエスト開口部の縁部の一部を破断線により切り出して帯状に延出させ、この帯状延出部分を略紡錘状にしたおむつの外周に巻き付けて、その先端部を基端側とおむつとの間に挟む固定構造は、特許文献３のような形態、すなわち糸ゴムの輪を広げてその中に排泄物により膨張しかつ汚れた略紡錘状のおむつを通すものと比べて、作業が容易であり、手も汚れにくい利点がある。
【先行技術文献】
【特許文献】
【０００６】
【特許文献１】特開２００２−０５２０４３号公報
【特許文献２】特開２００２−２３８９５０号公報
【特許文献３】実開平７−２８５１６号公報
【発明の概要】
【発明が解決しようとする課題】
【０００７】
しかしながら、特許文献１の図２２の固定構造は、帯状延出部分がその長手方向に一様なものであったため、先端部が抜け出て固定が外れるおそれがあった。
そこで本発明の主たる課題は、おむつの一部により形成され、固定作業が容易であり、手も汚れにくいものでありながら、外れ難い廃棄時固定手段を提供することにある。
【課題を解決するための手段】
【０００８】
上記課題を解決した本発明は次のとおりである。
＜請求項１記載の発明＞
前身頃及び後身頃をなす外装シートと、この外装シートの内面に固定された、吸収体を含む内装体とを備え、前記外装シートの前身頃と後身頃とが両側部において接合されることにより側部接合部が形成されるとともに、ウエスト開口部及び左右一対のレッグ開口部が形成され、
前記外装シートにおけるウエスト開口部の縁部に、胴周り方向に沿って細長状のウエスト部弾性部材が設けられ、
股間部を含む範囲に吸収体が設けられた、パンツタイプ使い捨ておむつにおいて、
前記外装シートにおけるウエスト開口部の縁部の一部を他の部分から分離するための破断線が設けられており、
この破断線を切り離すことにより前記一部を分離したとき、その分離部分が前記他の部分に対して前記ウエスト部弾性部材で繋がった状態で分離されるように構成され、
前記他の部分に、前記分離部分を挿通して係止するための係止孔が形成されており、
前記分離部分を引っ張り、ウエスト部弾性部材を伸長させつつおむつの外周に巻き付けた後、その先端部の分離部分を、係止孔に通して反対側に位置させるようにして固定したとき、前記分離部分が前記係止孔に対する引っ掛かりとなるように構成された、
ことを特徴とするパンツタイプ使い捨ておむつ。
【０００９】
（作用効果）
本発明では、破断線の切り離しにより形成される分離部分が他の部分に対してウエスト部弾性部材で繋がった状態で分離されるため、例えばこの分離部分を摘んで引っ張り、ウエスト部弾性部材を伸長させつつ、略紡錘状に丸める等したおむつの外周に巻き付けた後、その先端部の分離部分を、巻き付けたウエスト部弾性部材とおむつ外面との間を通して反対側に位置させるようにして固定すると、分離部分が引っ掛かりとなって固定が外れ難くなる。よって、本発明によれば、おむつの一部により形成され、固定作業が容易であり、手も汚れにくいものでありながら、外れ難い廃棄時固定手段を破断線のみで構成することができる。
なお、破断線とは、当該部分において切り離しが容易である線状の部分を意味するものであり、例えば、「ミシン目」の他、熱や超音波によってダメージを与えて切り離し易くしたものも含むものである。
【００１０】
【００１１】
また、本発明では、破断線の切り離しにより形成される分離部分を摘んで引っ張り、ウエスト部弾性部材を伸長させつつ、略紡錘状に丸める等したおむつの外周に巻き付けた後、その先端部の分離部分を、係止孔に通して反対側に位置させるようにして固定することができる。このような固定形態は、前述のように巻き付けたウエスト部弾性部材とおむつ外面との間に分離部分を通すよりも作業は簡単となる。そして、この場合にも分離部分が係止孔に対する引っ掛かりとなって固定が外れ難くなる。
【００１２】
＜請求項２記載の発明＞
前記ウエスト部弾性部材が縦方向に間隔を空けて複数本設けられており、前記係止孔がこれらウエスト部弾性部材間に設けられている、請求項１記載のパンツタイプ使い捨ておむつ。
【００１３】
（作用効果）
前述の係止孔がこのような位置に設けられていると、ウエスト部弾性部材の収縮力によって係止孔の拡大が抑制され、係止孔からの分離部分の外れが発生し難くなる。
【００１４】
＜請求項３記載の発明＞
前記分離部分が前記側部接合部を含むように、前記破断線が形成されている、請求項１又は２記載のパンツタイプ使い捨ておむつ。
【００１５】
（作用効果）
前身頃と後身頃との側部接合部は相対的に剛性が高い部分であるため、分離部分にこのような高剛性部分が存在していると、前述した分離部分の外れ防止効果がより一層のものとなる。
【００１６】
＜請求項４記載の発明＞
前記破断線を切り離したとき、前記分離部分がその胴周り方向両側の部分に対してそれぞれウエスト部弾性部材を介して繋がった状態となるように、前記破断線が形成されている、請求項１〜３のいずれか１項に記載のパンツタイプ使い捨ておむつ。
【００１７】
（作用効果）
破断線の切り離しにより形成される分離部分を摘んで引っ張り、ウエスト部弾性部材を伸長させつつ、略紡錘状に丸める等したおむつの外周に巻き付ける際、ウエスト部弾性部材による締め付け力をバランス良く作用させることができる。また、特許文献３と同様の固定形態、すなわち分離部分及びその両側のウエスト部弾性部材を捻って輪を形成し、その輪の中に略紡錘状のおむつを通す形態を選択することも可能となる。
【００１８】
＜請求項５記載の発明＞
前記破断線を切り離した状態で前記分離部分を繋ぐウエスト部弾性部材は、分離部分側と反対側の部分のうちの分離部分側の部分が前記外装シートに対して非固定とされているか、または引っ張ると固定が外れて非固定となるように固定されている、請求項１〜４のいずれか１項に記載のパンツタイプ使い捨ておむつ。
【００１９】
（作用効果）
このような構成を採用することにより、破断線の切り離しにより形成される分離部分を摘んで引っ張り、ウエスト部弾性部材を伸長させる際、ウエスト部弾性部材の伸長可能長さをより長く確保することができ、固定作業の容易化を図ることができる。
【発明の効果】
【００２０】
以上のとおり、本発明によれば、おむつの一部により形成され、固定作業が容易であり、手も汚れにくいものでありながら、外れ難い廃棄時固定手段となる、等の利点がもたらされる。
【図面の簡単な説明】
【００２１】
【図１】展開状態のパンツタイプ使い捨ておむつの平面図（内面側）である。
【図２】展開状態のパンツタイプ使い捨ておむつの平面図（外面側）である。
【図３】展開状態のパンツタイプ使い捨ておむつの要部平面図である。
【図４】図１のＣ−Ｃ断面図である。
【図５】図１のＡ−Ａ断面図である。
【図６】図１のＢ−Ｂ断面図である。
【図７】パンツタイプ使い捨ておむつの装着状態の斜視図である。
【図８】展開状態のパンツタイプ使い捨ておむつの平面図（外面側）である。
【図９】第１の固定形態の固定途中状態を示す斜視図である。
【図１０】第１の固定形態の固定完了状態を示す斜視図である。
【図１１】第２の固定形態の固定途中状態を示す斜視図である。
【図１２】第２の固定形態の固定完了状態を示す斜視図である。
【図１３】第３の固定形態の固定完了状態を示す斜視図である。
【図１４】第４の固定形態の固定途中状態を示す斜視図である。
【図１５】第４の固定形態の固定完了状態を示す斜視図である。
【発明を実施するための形態】
【００２２】
以下、本発明の一実施形態について、添付図面を参照しつつ詳説する。
図１〜図７は参考形態のパンツタイプ使い捨ておむつ１を示している。このパンツタイプ使い捨ておむつ１（以下、単におむつともいう。）は、前身頃Ｆ及び後身頃Ｂを有する外装シート２０と、この外装シート２０の内面に固定され一体化された内装体１０とを有しており、内装体１０は液透過性表面シート１１と液不透過性裏面側シート１２との間に吸収体１３が介在されてなるものである。製造に際しては、外装シート２０の内面（上面）に対して内装体１０の裏面がホットメルト接着剤Ｇなどの接合手段によって固定された後に、内装体１０および外装シート２０が前身頃Ｆ及び後身頃Ｂの境界である縦方向（前後方向）中央で折り畳まれ、その両側部が相互に熱溶着、超音波接着、またはホットメルト接着剤などによって接合されることによって、ウエスト開口部及び左右一対のレッグ開口部が形成されたパンツタイプ使い捨ておむつとなる。
【００２３】
（外装シートの構造例）
外装シート２０は、図４〜図６にも示されるように、上層不織布２０Ａ及び下層不織布２０Ｂ（つまり、この形態では下層不織布が最外側不織布となる）からなる２層構造の不織布シートとされ、上層不織布２０Ａと下層不織布２０Ｂとの間、及び下層不織布２０Ｂをウエスト開口縁で内面側に折り返してなる折り返し部分２０Ｃの不織布間に各種弾性部材が配設され、伸縮性が付与されている。平面形状は、中間両側部に夫々脚部開口を形成するために形成された凹状の脚周りライン２９により、全体として擬似砂時計形状をなしている。
【００２４】
特に、図示形態の外装シート２０においては、弾性部材として、図１〜図３に示される展開形状において、ウエスト開口部近傍２３に配置されたウエスト部弾性部材２４，２４…と、前身頃Ｆ及び後身頃Ｂに、縦方向に間隔をおいて幅方向に沿って配置された複数の腰周り弾性部材２５，２５…とを有するとともに、前身頃Ｆ及び後身頃Ｂのそれぞれにおいて、腰周り弾性部材群２５，２５…とは別に、前身頃Ｆと後身頃Ｂとを接合する両側部接合部から幅方向中央に向かうにつれて反対の身頃側へ向かうように湾曲しつつ、内装体１０の両側部と重なる部位まで延在するとともに、互いに交差することなく間隔をおいて配置された複数本の湾曲弾性部材２６…、２８…を備えている。なお、本外装シート２０では、脚周りライン２９に沿って実質的に連続する、所謂脚周り弾性部材は設けられていない。
【００２５】
ウエスト部弾性部材２４，２４…は、前身頃Ｆと後身頃Ｂとが接合された側部接合部２１の範囲の内、ウエスト開口縁近傍に上下方向に間隔をおいて配設された複数条の糸ゴム状弾性部材であり、身体のウエスト部周りを締め付けるように伸縮力を与えることによりおむつを身体に装着するためのものである。このウエスト部弾性部材２４は、図示例では糸ゴムを用いたが、例えばテープ状の伸縮部材を用いてもよい。また、図示形態のウエスト部弾性部材２４，２４…は、ウエスト部における下層不織布２０Ｂの折り返し部分２０Ｃの不織布間に挟持されているが、上層不織布２０Ａと下層不織布２０Ｂとの間に挟持しても良い。
【００２６】
腰周り弾性部材２５，２５…は、側部接合部２１の内、概ね上部から下部までの範囲に亘り、上下方向に間隔をおいて幅方向に沿って配設された糸ゴム状の弾性部材であり、前身頃Ｆ及び後身頃Ｂの腰周り部分に夫々幅方向の伸縮力を与え、おむつを身体に密着させるためのものである。なお、ウエスト部弾性部材２４、２４…と腰周り弾性部材２５、２５…との境界は必ずしも明確でなくてよい。例えば、前身頃Ｆ及び後身頃Ｂに上下方向に間隔をおいて幅方向に配置された弾性部材の内、数は特定できなくても、上部側の何本かがウエスト部弾性部材として機能し、残りの弾性部材が腰周り弾性部材として機能していればよい。
【００２７】
後身頃Ｂにおいて、腰周り弾性部材２５，２５…とは別に配設された背側湾曲弾性部材２６、２６…は、その長手方向中間に縦方向との鋭角側交差角θ（以下、縦方向交差角ともいう）が最小となる最小点を有するとともに、この最小点から幅方向両側に向かうにつれて縦方向交差角θが０度〜９０度の範囲内で増加する所定の曲線であって、且つおむつを展開した状態で内装体の両側部と重なる領域内に縦方向交差角θが６０°以下となる交差部分７０を有する所定の曲線に沿って配置されているものである。背側湾曲弾性部材２６は、一本であっても良いが複数本であるのが好ましく、図示例では５本の糸ゴム状弾性部材であり、これら背側湾曲弾性部材２６、２６…は互いに交差することなく、間隔をおいて配置されている。この背側湾曲弾性部材群２６、２６…は、２，３本程度の弾性伸縮部材を間隔を密にして実質的に一束として配置されるのではなく、所定の伸縮ゾーンを形成するように５〜２５ｍｍ、好ましくは５〜１６ｍｍ程度の間隔を空けて、３本以上、好ましくは５本以上配置される。
【００２８】
外装シート２０の前身頃Ｆにおいて、腰周り弾性部材群２５，２５…とは別に配設された腹側湾曲弾性部材２８，２８…も、その長手方向中間に縦方向との縦方向交差角θが最小となる最小点を有するとともに、この最小点から幅方向両側に向かうにつれて縦方向交差角θが０度〜９０度の範囲内で増加する所定の曲線であって、且つおむつを展開した状態で内装体の両側部と重なる領域内に縦方向交差角θが６０°以下となる交差部分７０を有する所定の曲線に沿って配置されている。腹側湾曲弾性部材２８，２８…は、一本であっても良いが複数本であるのが好ましく、図示例では５本の糸状弾性部材であり、これら腹側湾曲弾性部材２８，２８…は、互いに交差することなく、間隔をおいて配置されている。この腹側湾曲弾性部材群２８、２８…も、２，３本程度の弾性伸縮部材を間隔を密にして実質的に一束として配置されるのではなく、所定の伸縮ゾーンを形成するように５〜２５ｍｍ、好ましくは５〜１６ｍｍ程度の間隔を空けて、３本以上、好ましくは５本以上配置される。
【００２９】
なお、図示例では、前身頃Ｆ及び後身頃Ｂに配置された腰周り弾性部材２５，２５…及び湾曲弾性部材２６…、２８…は、内装体１０を横切る部分には設けられておらず、当該部分が非伸縮領域とされている。このように、弾性部材を有しない又は設けられていない形態には、弾性部材が存在しない形態の他、弾性部材は存在するが収縮力が作用しない程度に細かく切断させている形態も含まれる。例えば、後者の例としては、腰周り弾性部材２５，２５…及び湾曲弾性部材２６…、２８…を、一方側の側部接合部２２から内装体１０を横切って他方（反対）側の側部接合部２２まで連続的に設けた後に、内装体１０を横切る部分の一部又は全部を切断し、不連続とする一般的な形態が含まれる。弾性部材を内装体１０と重なる部分で不連続とすることにより、内装体（特に吸収体１３）の幅方向の縮こまりをより防止することができる。もちろん、腰周り弾性部材２５，２５…及び湾曲弾性部材２６…、２８…を、内装体１０を横切って連続的に配置することもできる。
【００３０】
上述した外装シート２０は、例えば特開平４−２８３６３号公報や、特開平１１−３３２９１３号公報記載の技術により製造することができる。また、湾曲弾性部材２６…、２８…を内装体１０上で切断し不連続化するには、特開２００２−３５０２９号公報、特開２００２−１７８４２８号公報及び特開２００２−２７３８０８号公報に記載される切断方法が好適に採用される。
【００３１】
図示例とは異なり、湾曲弾性部材を、前身頃Ｆ及び後身頃Ｂのいずれか一方にのみ設けるだけでも良い。また、湾曲弾性部材２６…、２８…を、前身頃Ｆ及び後身頃Ｂの両方に設ける場合、前身頃Ｆ側に配置された湾曲弾性部材の群の一部又は全部と、後身頃Ｂ側に配置された湾曲弾性部材Ｂの群の一部又は全部とが交差する形態（図示せず）も採用できるが、図示例のように、前身頃Ｆ側に配置された湾曲弾性部材２８の群と、後身頃Ｂ側に配置された湾曲弾性部材Ｂの群とは互いに交差することなく前後方向中間部、特に前身頃Ｆに若干偏った位置で縦方向に離間している形態が好適であり、その縦方向離間範囲９０における最小縦方向離間距離は５〜２０ｍｍ程度とし、この部分に後述する広幅の固定領域を設けるのが好ましい。
【００３２】
さらに、湾曲弾性部材２６…、２８…は図示例のようにその全体が湾曲していなくても良く、部分的に直線状の部分を有していても良い。
【００３３】
（内装体の構造例）
内装体１０は、図５〜図７に示すように、不織布などからなる液透過性表面シート１１と、ポリエチレン等からなる液不透過性裏面側シート１２との間に、吸収体１３を介在させた構造を有しており、表面シート１１を透過した排泄液を吸収保持するものである。
【００３４】
吸収体１３の表面側（肌当接面側）を覆う液透過性表面シート１１としては、有孔または無孔の不織布や多孔性プラスチックシートなどが好適に用いられる。不織布を構成する素材繊維は、ポリエチレンまたはポリプロピレン等のオレフィン系、ポリエステル系、ポリアミド系等の合成繊維の他、レーヨンやキュプラ等の再生繊維、綿等の天然繊維とすることができ、スパンレース法、スパンボンド法、サーマルボンド法、メルトブローン法、ニードルパンチ法等の適宜の加工法によって得られた不織布を用いることができる。これらの加工法の内、スパンレース法は柔軟性、ドレープ性に富む点で優れ、サーマルボンド法は嵩高でソフトである点で優れている。液透過性表面シート１１に多数の透孔を形成した場合には、尿などが速やかに吸収されるようになり、ドライタッチ性に優れたものとなる。液透過性表面シート１１は、吸収体１３の側縁部を巻き込んで吸収体１３の裏面側まで延在している。
【００３５】
吸収体１３の裏面側（非肌当接面側）を覆う液不透過性裏面側シート１２は、ポリエチレンまたはポリプロピレンなどの液不透過性プラスチックシートが用いられるが、近年はムレ防止の点から透湿性を有するものが好適に用いられる。この遮水・透湿性シートは、たとえばポリエチレンやポリプロピレン等のオレフィン樹脂中に無機充填材を溶融混練してシートを形成した後、一軸または二軸方向に延伸することにより得られる微多孔性シートである。
【００３６】
吸収体１３としては、公知のもの、例えばパルプ繊維の積繊体、セルロースアセテート等のフィラメントの集合体、あるいは不織布を基本とし、必要に応じて高吸収性ポリマーを混合、固着等してなるものを用いることができ、図示例では平面形状を略方形状として成形されたものが使用され、その幅寸法は股間部への当たりによって着用者にゴワ付き感を与えない寸法幅となっている。この吸収体１３は、形状及びポリマー保持等のため、必要に応じてクレープ紙等の、液透過性及び液保持性を有する包装シート１４によって包装することができる。吸収体１３の形状は、図示形態のように長方形状とする他、背側及び腹側に対して股間部の幅が狭い砂時計形状（括れ形状）とすることもできる。
【００３７】
内装体１０の両側部には脚周りにフィットする立体ギャザーＢＳが形成されているのが好ましい。この立体ギャザーＢＳはギャザー不織布１５により形成される、ギャザー不織布としては、図６及び図７に示されるように、折返しによって二重シートとした不織布が好適に用いられ、液透過性表面シート１１によって巻き込まれた吸収体１３の側縁部をさらにその上側から巻き込んで吸収体１３の裏面側まで延在して接着されている。より具体的には、ギャザー不織布１５は、おむつ１の長手方向中間部では、立体ギャザーＢＳ形成部分を残し、幅方向中間部から吸収体１３の裏面側に亘る範囲がホットメルト接着剤等によって接着され、また長手方向前後端部では、幅方向中間部から一方側端縁までの区間が吸収体１３の裏面側に亘る範囲で接着されるとともに、立体ギャザーＢＳを形成する部分を吸収体１３の上面部にて折り畳むようにしながらホットメルト接着剤等により接着している。
【００３８】
二重シート不織布によって形成されたギャザー不織布１５の内部には、起立先端側部分に複数本の糸状弾性伸縮部材１６、１６…が配設されている。糸状弾性伸縮部材１６、１６…は、製品状態において図６に二点鎖線で示すように、弾性伸縮力により吸収体側縁部より突出する不織布部分を起立させて立体ギャザーＢＳを形成するためのものである。
【００３９】
液不透過性裏面側シート１２は、二重シート状のギャザー不織布１５の内部まで進入し、図６に示されるように、立体ギャザーＢＳの下端側において防漏壁を構成するようになっている。この液不透過性裏面側シート１２としては、排便や尿などの褐色が出ないように不透明のものを用いるのが望ましい。不透明化としては、プラスチック中に、炭酸カルシウム、酸化チタン、酸化亜鉛、ホワイトカーボン、クレイ、タルク、硫酸バリウムなどの顔料や充填材を内添してフィルム化したものが好適に使用される。
【００４０】
糸状弾性伸縮部材１６としては、通常使用されるスチレン系ゴム、オレフィン系ゴム、ウレタン系ゴム、エステル系ゴム、ポリウレタン、ポリエチレン、ポリスチレン、スチレンブタジエン、シリコン、ポリエステル、天然ゴム等の素材を用いることができる。また、外側から見え難くするため、太さは９２５ｄｔｅｘ以下、テンションは１５０〜３５０％、間隔は７．０ｍｍ以下として配設するのがよい。なお、糸状弾性伸縮部材に代えて、ある程度の幅を有するテープ状弾性伸縮部材を用いるようにしてもよい。
【００４１】
前述のギャザー不織布１５を構成する素材繊維も液透過性表面シート１１と同様に、ポリエチレンまたはポリプロピレン等のオレフィン系、ポリエステル系、アミド系等の合成繊維の他、レーヨンやキュプラ等の再生繊維、綿等の天然繊維とすることができ、スパンボンド法、サーマルボンド法、メルトブローン法、ニードルパンチ法等の適宜の加工方法に得られた不織布を用いることができるが、特にはムレを防止するために坪量を抑えて通気性に優れた不織布を用いるのがよい。さらにギャザー不織布１５については、尿などの透過を防止するとともに、カブレを防止しかつ肌への感触性（ドライ感）を高めるために、シリコン系、パラフィン金属系、アルキルクロミッククロイド系撥水剤などをコーティングした撥水処理不織布を用いるのが望ましい。
【００４２】
（内装体と外装シートとの固定）
内装体１０と外装シート２０との固定は特徴的な構造となっている。図３に示すように、おむつを展開した状態で、湾曲弾性部材２６…、２８…と縦方向との鋭角側交差角θが６０°以下となる交差部分７０（図３で二点鎖線で囲まれた点模様部分）のうち８０％以上の縦方向範囲（図示例では全縦方向範囲）では、外装シート２０と内装体１０とが非固定とされ、これ以外の部分８０，８１，８２において外装シート２０と内装体１０とがホットメルト接着剤等の接合手段により固定されている。これにより、湾曲弾性部材２６…、２８…の収縮力が内装体１０の側部に殆ど又は全く加わらなくなり、その結果、湾曲弾性部材２６…、２８…と内装体１０の両側部とが重なる領域においてもおむつの厚み及び硬さが周囲と同程度となり、内装体１０の内面に横皺も発生し難くなる。なお、交差部分７０のうち８０％以上の縦方向範囲が固定部となる限り、図示例のように全体にわたり連続的に固定する形態だけでなく、交差部分のうちの一部を非固定としたり、また交差部分内で間欠的に固定したりすることも可能である。
【００４３】
他方、上述のように、交差部分７０を含む範囲に非固定領域７１を設けると、交差部分７０と同じ縦方向範囲では、外装シート２０と内装体１０との固定領域が少なくならざるを得ない。よって、おむつを展開した状態で、縦方向の位置が交差部分７０と同じ範囲では、交差部分７０の幅方向中央側に、弾性部材を有しない非伸縮領域を設けるとともにその部分を外装シート２０と内装体１０との固定領域８０とし、縦方向の位置が交差部分７０のウエスト側の範囲では、交差部分７０の幅方向中央側縁よりも幅方向外側から交差部分７０の幅方向中央側にかけて、弾性部材を有しない非伸縮領域を設けるとともにその部分を外装シート２０と内装体１０との固定領域８１とするのが望ましい。具体的には、図示例のように、外装シート２０と内装体１０との固定幅を、交差部分７０と同じ縦方向範囲では幅方向両側の交差部分７０間の間隔以下とし、交差部分７０のウエスト側ではそれよりも広くする（図示例のように段階的に拡大しても良いし、連続的に拡大しても良い）ことを提案する。これにより、内装体１０の固定がより強固となる。
【００４４】
また、前身頃Ｆ及び後身頃Ｂにそれぞれ湾曲弾性部材２６…、２８…を配置するとともに、前後の湾曲弾性部材２６…、２８…を互いに交差させずに縦方向離間範囲９０を確保するとともに、この縦方向離間範囲９０においても、交差部分７０の幅方向中央側縁よりも幅方向外側から交差部分７０の幅方向中央側にかけて、弾性部材を有しない非伸縮領域を設けるとともにその部分を外装シート２０と内装体１０との固定領域８２とし、縦方向離間範囲９０における固定幅を、交差部分７０と同じ縦方向範囲における固定幅よりも広くすることも提案される。これにより、内装体１０の固定をより一層強固にすることができる。
【００４５】
（前後押えシート）
図１及び図４にも示されるように、外装シート２０の内面上に取り付けられた内装体１０の前後端部をカバーし、且つ内装体１０の前後縁からの漏れを防ぐために、前後押えシート５０，６０が設けられている。図示形態について更に詳細に説明すると、前押えシート５０は、前身頃Ｆ内面のうちウエスト側端部の折り返し部分２０Ｃの内面から内装体１０の前端部と重なる位置まで幅方向全体にわたり延在しており、後押えシート６０は、後身頃Ｂ内面のうちウエスト側端部の折り返し部分２０Ｃの内面から内装体１０の後端部と重なる位置まで幅方向全体にわたり延在している。前後押えシート５０，６０の股下側縁部に幅方向の全体にわたり（中央部のみでも良い）若干の非接着部分を設けると、接着剤が食み出ないだけでなく、この部分を表面シートから若干浮かせて防漏壁として機能させることができる。
図示形態のように、前後押えシート５０，６０を別体として取り付けると、素材選択の自由度が高くなる利点があるものの、資材や製造工程が増加する等のデメリットもある。そのため、外装シート２０をおむつ１内面に折り返してなる折り返し部分２０Ｃを、内装体１０と重なる部分まで延在させて、前述の押えシート５０，６０と同等の部分を形成することもできる。
【００４６】
（廃棄時固定手段）
特徴的には、外装シート２０におけるウエスト開口部の縁部の一部を他の部分から分離するための破断線３１が設けられており、図２中に二点鎖線で示すように、この破断線３１を切り離すことにより分離される分離部分３０が他の部分に対してウエスト部弾性部材２４で繋がった状態で分離されるように構成されている。なお、破断線とは、当該部分において切り離しが容易である線状の部分を意味するものであり、例えば、「ミシン目」の他、熱や超音波によってダメージを与えて切り離し易くしたものも含むものである。
【００４７】
この分離部分３０の位置は、ウエス開口部の縁部における一部の周方向範囲であれば特に限定されないが、例えば図１に示すように前身頃Ｆ（図示しないが後身頃Ｂでも良い）の幅方向中間部としたり、図８に示すように前身頃Ｆと後身頃Ｂとの側部接合部２１を含む前身頃Ｆ（図示しないが後身頃Ｂでも良い）の一方の側部としたり、図示しないが、前身頃Ｆの一方の側部から前身頃Ｆと後身頃Ｂとの側部接合部２１を跨いで後身頃Ｂの一方の側部までの範囲としたりすることもできる。
【００４８】
分離部分３０の寸法（破断線３１の位置）は適宜定めればよいが、通常の場合、幅は３〜１０ｃｍ程度であるのが好ましく、また縦方向長さは１〜４ｃｍ程度であるのが好ましい。また、分離部分３０の股間側の縁（破断線３１の幅方向部分の位置）は最も股間側に位置するウエスト部弾性部材２４と、内装体１０のウエスト側の縁との間に位置しているのが好ましいが、これに限定されず、例えばウエスト部弾性部材２４を複数本設ける場合にはその間に位置していても良く、また内装体１０がウエスト開口部の縁部まで存在している場合には、内装体１０のウエスト側の端部上に位置していても良い。同様に、分離部分３０のウエスト側の縁はウエスト開口部の縁となるように（つまり、図示例のように両側部の破断線３１をウエスト開口部の縁まで到達させる）構成するのが好ましいが、これに限定されず、例えばウエスト部弾性部材２４を複数本設ける場合にはその間に位置していても良い。後者の場合、分離部分３０を分離した後には周囲が閉じられた開口が形成されることになる。
【００４９】
分離部分３０の形状は適宜定めることができ、図示例のような矩形状の他、楕円形状等、適宜の形状を採用することができる。
【００５０】
図示形態では、破断線３１はウエスト部弾性部材２４を横切る縦方向部分と、ウエスト部弾性部材２４に沿う幅方向部分とを有しており、このうちウエスト部弾性部材２４を横切る破断線３１の縦方向部分はウエスト部弾性部材２４が少なくとも１本（好ましくは複数本、最も好ましくは全て）は破断線形成時に切断されずに残るように形成する。
【００５１】
おむつを廃棄する際には、先ず破断線３１を切り離すことにより分離部分３０を分離させる。この際、分離部分３０はおむつ本体に対してウエスト部弾性部材２４で繋がった状態となる。この分離部分３０の形成の前後において、従来から行われているように、前身頃Ｆと後身頃Ｂとを重ねあわせた状態で好ましくは分離部分３０を有する身頃が外側となるように股間側の端部から丸める又は折り畳み略紡錘状にする。その後、図９に示すように分離部分３０を摘んで引っ張り、ウエスト部弾性部材２４を伸長させつつ、略紡錘状に丸める等したおむつの外周に巻き付け、図１０に示すようにその先端部の分離部分３０を、巻き付けたウエスト部弾性部材２４とおむつ外面との間を通して反対側に位置させるようにして固定する。これにより、分離部分３０が引っ掛かりとなって固定が外れ難くなる。
【００５２】
特に、この形態では、破断線３１を切り離したとき、分離部分３０がその胴周り方向両側の部分に対してそれぞれウエスト部弾性部材２４を介して繋がった状態となるように、破断線３１が形成されているため、図９に示すように分離部分３０を摘んで引っ張り巻き付ける際、両側のウエスト部弾性部材２４により締め付け力をバランス良く作用させることができる。また、図１１に示すように分離部分３０及びその両側のウエスト部弾性部材２４を捻って輪を形成し、図１２に示すようにその輪の中に略紡錘状のおむつを通す固定形態を選択することも可能となる。
【００５３】
これとは異なり、図８に示すように、分離部分３０がその胴周り方向片側の部分に対してのみウエスト部弾性部材２４を介して繋がった状態となるように、破断線３１を形成しても良い。この図８に示す形態では、おむつを廃棄する際、図１３に示すように分離部分３０を摘んで引っ張り、分離部分３０の片側にのみ伸びるウエスト部弾性部材２４を伸長させつつ、略紡錘状に丸める等したおむつの外周に巻き付け、その先端部の分離部分３０を、巻き付けたウエスト部弾性部材２４とおむつ外面との間を通して反対側に位置させることにより固定することができる。この際にも分離部分３０が引っ掛かりとなって固定は外れ難くなる。特に図８に示す形態は、分離部分３０が相対的に高剛性の側部接合部２１を含むため、引っ掛かりがより強いものとなる。
【００５４】
なお、図８に示す例では側部接合部２１においてウエスト部弾性部材２４が前後不連続となっていること及び側部接合部２１を剥がすことにより、分離部分３０の一方の側縁の切り離しが可能であることを利用し、分離部分３０の他方の側縁を形成する縦方向の破断線３１及び股間側の縁を形成する幅方向の破断線３１のみ形成しているが、例えば図２に示す形態において縦方向の破断線３１のいずれか一方のみ全てのウエスト部弾性部材２４を切断するように形成しても、同様に分離部分３０がその胴周り方向片側の部分に対してのみウエスト部弾性部材２４を介して繋がった状態となる。
【００５５】
さて、本発明は、図２に示すように分離部分３０以外の部分に分離部分３０を挿通して係止するための係止孔３２を形成するものであり、図１４に示すように破断線３１の切り離しにより形成される分離部分３０を摘んで引っ張り、ウエスト部弾性部材２４を伸長させつつ、略紡錘状に丸める等したおむつの外周に巻き付けた後、その先端部の分離部分３０を、係止孔３２に通して図１５に示すように反対側に位置させるようにして固定することができるものである。このような固定形態は、前述のように巻き付けたウエスト部弾性部材２４とおむつ外面との間に分離部分３０を挿通すよりも作業は簡単となる。そして、この場合にも分離部分３０が係止孔３２に対する引っ掛かりとなって固定が外れ難くなる。
【００５６】
係止孔３２の形状は特に限定されず、円孔でもよいが、図示形態のようにスリットであるのが好ましい。
【００５７】
係止孔３２の係止位置は適宜定めることができ、分離部分３０の近傍に設けることもできるが、胴周り方向において分離部分３０と反対側に位置しているのが好ましい。また、係止孔３２は、最も股間側に位置するウエスト部弾性部材２４と、内装体１０のウエスト側の縁との間に位置していても、内装体１０のウエスト側の端部と重なるように位置していてもよいが、図示形態のように、ウエスト部弾性部材２４が縦方向に間隔を空けて複数本設けられている場合は、それらウエスト部弾性部材２４間に設けるのが好ましい。これにより、係止孔３２がウエスト部弾性部材２４間に設けられていると、ウエスト部弾性部材２４の収縮力によって係止孔３２の拡大が抑制され、係止孔３２からの分離部分３０の外れが発生し難くなるという利点がある。
【００５８】
他方、上述の固定構造では、ウエスト部弾性部材２４を伸長させて巻き付けて固定するため、その伸長可能長さが短すぎると固定作業が困難となる。よって、破断線３１を切り離した状態で分離部分３０を繋ぐウエスト部弾性部材２４は、分離部分３０側と反対側の部分のうちの分離部分３０側の部分が外装シート２０に対して非固定とされているか、または引っ張ると接着が外れて非固定となるように固定されていると好ましい。これにより、破断線３１の切り離しにより形成される分離部分３０を摘んで引っ張り、ウエスト部弾性部材２４を伸長させる際、ウエスト部弾性部材２４の伸長可能長さをより長く確保することができ、固定作業の容易化を図ることができる。
【産業上の利用可能性】
【００５９】
本発明は、上記例のようなパンツタイプ使い捨ておむつにおいて利用できるものである。
【符号の説明】
【００６０】
１…パンツタイプ使い捨ておむつ、１０…内装体、１１…液透過性表面シート、１２…液不透過性裏面側シート、１３…吸収体、１４…包装シート、１５…ギャザー不織布、１６…糸状弾性伸縮部材、２０…外装シート、２１…側部接合部、２４…ウエスト部弾性部材、２５…腰周り弾性部材、２６…背側湾曲弾性部材、２８…腹側湾曲弾性部材、２９…脚周りライン、３０…分離部分、３１…破断線、３２…係止孔、２０Ｃ…外装シート折り返し部、７０…交差部分、７１…非固定領域、８０，８１，８２…固定領域、θ…縦方向交差角、Ｆ…前身頃、Ｂ…後身頃。
【図１】
0005826562.tif 000002
【図２】
0005826562.tif 000003
【図３】
0005826562.tif 000004
【図４】
0005826562.tif 000005
【図５】
0005826562.tif 000006
【図６】
0005826562.tif 000007
【図７】
0005826562.tif 000008
【図８】
0005826562.tif 000009
【図９】
0005826562.tif 000010
【図１０】
0005826562.tif 000011
【図１１】
0005826562.tif 000012
【図１２】
0005826562.tif 000013
【図１３】
0005826562.tif 000014
【図１４】
0005826562.tif 000015
【図１５】
0005826562.tif 000016